(57)【要約】【課題】電池を内蔵した携帯型電子機を収納する収納ケースにバイブレータ機能を付加した構成を提案すること。【解決手段】本発明にかかる収納ケースは、電子回路と、振動発生装置作動信号を出力する出力手段と、内蔵電池とを備えた携帯型電子機器を収納するように構成された収納ケースであって、前記携帯型電子機器を収納し得る収納手段と、前記携帯型電子機器を前記収納手段に収納した状態で、前記出力手段から出力される振動発生装置作動信号が入力される入力手段と、振動発生装置作動信号が入力されたときに作動する振動発生装置と、前記振動発生装置を作動させる外部電池とを備えている。【選択図】      図１
2008085610.tif 000002
【特許請求の範囲】
【請求項１】
内蔵電池によって駆動し、着信信号を検出した時、着信信号検出信号を出力する出力手段を備えた携帯型無線機を収納する収納ケースであって、
前記携帯型無線機を収納し得る収納手段と、
前記携帯型無線機を前記収納手段に収納した状態で、
前記出力手段から出力される着信信号検出信号が入力される入力手段と、
着信信号検出信号が入力されたときに作動する振動発生装置と、
前記振動発生装置を作動させる外部電池と、
を備えたことを特徴とする収納ケース。
【請求項２】
前記携帯型電子機器を前記収納手段に収納した状態で、前記外部電池から前記内蔵電池に充電する充電手段を備えたことを特徴とする請求項１に記載の収納ケース。
【発明の詳細な説明】
【技術分野】
【０００１】
本発明は、携帯型無線機の収納ケースに関し、特にはバイブレータ機能を備えた収納ケースに関するものである。
【背景技術】
【０００２】
従来より、携帯型電話装置などにおいては、着信を検出した場合には機器自体を振動させて、着信があったことを使用者に知らせる機能、いわゆるバイブレータ機能を備えたものが知られている。
さらに、携帯電話装置に装着して使用する内蔵式の電池パックにおいて、携帯電話装置の作動用の電源を供給するための電池と、着信時に作動するバイブレータを備え、このバイブレータを前記電池で駆動するように構成した電池パックが提案されている。（例えば、特許文献１参照）
【０００３】
【特許文献１】特開平９−２４７７２２号公報
【発明の開示】
【発明が解決しようとする課題】
【０００４】
一般的な携帯型無線機は送信出力が大きいため、携帯型電話装置に比べて大型となり、携帯型無線機でバイブレーションによる着信報知を実現する場合、携帯型電話装置のバイブレータより大きくて駆動力のあるバイブレータでないと十分な振動を得られないことが多い。
しかしながら、大型のバイブレータを無線機筐体内や電池パックに内蔵すると、無線機が更に大きくなるといった不具合が生じる。
また、振動によって着信を知らせる必要があるのは、携帯型無線機を手に持っているときではなく、収納ケースなどで腰などに装着している場合であり、無線機筐体内や無線機に装着する電池パックにバイブレータを内蔵することは、無線機の使用者の負担になるという問題がある。
【０００５】
そこで、本発明は、電池を内蔵した携帯型無線機を収納する収納ケースにバイブレータ機能を付加した構成を提案することを目的としてなされたものである。
【課題を解決するための手段】
【０００６】
本発明にかかる収納ケースの請求項１は、
内蔵電池によって駆動し、着信信号を検出した時、着信信号検出信号を出力する出力手段を備えた携帯型無線機を収納する収納ケースであって、
前記携帯型無線機を収納し得る収納手段と、
前記携帯型無線機を前記収納手段に収納した状態で、
前記出力手段から出力される着信信号検出信号が入力される入力手段と、
着信信号検出信号が入力されたときに作動する振動発生装置と、
前記振動発生装置を作動させる外部電池と、
を備えている。
請求項２では、
前記携帯型無線機を前記収納手段に収納した状態で、前記外部電池から前記内蔵電池に充電する充電手段を備えている。
【発明の効果】
【０００７】
請求項１の収納ケースでは、
携帯型無線機を収納手段に収納した状態で、出力手段から出力される着信信号検出信号が入力されると振動発生装置が作動するので、使用者は振動によって着信があったことを知ることができる。
また、振動発生装置を収納ケースに配置することにより、無線機本体や内蔵電池の大型化、重量化を防止することができる。
振動によって着信を知らせる必要があるときというのは、携帯型無線機を手に持っているときではなく、携帯型無線機を収納ケースなどに収納して腰などに装着しているときであり、このような場合、音などによる着信では分かりにくいので、本願のように、収納ケースに振動発生装置を配置することは、以上のような使用状況から考えても効率がよい。
なお、前記携帯型無線機には電池を内蔵しているので、前記収納ケースに収納しない状態でも通常の使用が可能である。
請求項２の収納ケースでは、
携帯型無線機を収納手段に収納した状態で、外部電池から内蔵電池に充電することも可能になった。
【発明を実施するための最良の形態】
【０００８】
以下に、本発明にかかる収納ケースを、その実施の形態を示した図面に基づいて詳細に説明する。
図１において、
１は携帯型無線機であり、内蔵電池１１、受信部１２、制御部１３、充電入力端子１４、着信出力端子１５を備えている。
２は前記携帯型無線機１を収納し得るホルスター型の収納ケースであり、外部電池３、充電制御回路４、着信入力端子５、振動制御回路６、振動発生装置７、充電出力端子８、携帯型無線機１を収納する収納部２１を備えている。
収納部２１の形状・大きさは、収納すべき携帯型無線機１の筐体の形状・大きさに対応した形状とし、携帯型無線機１を安定して収納し得るように形成されている。
【０００９】
前記携帯型無線機１において、
内蔵電池１１は、前記携帯型無線機１の受信部１２、制御部１３などの各部に必要な電源を供給する。
前記受信部１２では、受信した信号を処理して自局（当該携帯型無線機１）を呼び出すための呼び出し信号が受信されたか否かを判断処理し、前記呼び出し信号が受信された場合には、前記制御部１３から前記着信出力端子１５に着信信号検出信号が出力されるように構成されている。
また、充電入力端子１４に所定の電圧以上の充電電力が供給されると、その充電電力は、逆流防止回路などを含んだ充電回路１６を通って内蔵電池１１に供給され、内蔵電池１１を充電するように構成されている。
【００１０】
以上の構成において、着信出力端子１５が特許請求の範囲に記載された出力手段に対応し、着信入力端子５が特許請求の範囲に記載された入力手段に対応し、振動制御回路６と振動発生装置７とが特許請求の範囲に記載された振動発生装置に対応し、充電回路１６、充電入力端子１４、充電出力端子８、および充電制御回路４が特許請求の範囲に記載された充電手段に対応している。
【００１１】
以上のように、前記携帯型無線機１は電池を内蔵しているので、収納ケース２に収納しない状態であっても使用することができるものである。
図１においては、携帯型無線機１を収納ケース２に収納する前の状態を示している。
携帯型無線機１を収納ケース２の収納部２１に収納した状態では、
携帯型無線機１の充電入力端子１４は収納ケース２の充電出力端子８と電気的に接触した状態となり、携帯型無線機１の着信出力端子１５は収納ケース２の着信入力端子５と電気的に接触した状態となるように構成されている。
【００１２】
前記収納ケース２において、
振動制御回路６に、着信入力端子５から着信信号検出信号が入力されると、所定のインターバルで振動させるための振動制御信号が出力される。この振動制御信号が振動発生装置７に入力されると、この振動発生装置７は所定のインターバルで振動を発生させ、使用者に着信があったことを知らせるように構成されている。
また、外部電池３の充電電力は、充電制御回路４、充電出力端子８、充電入力端子１４、充電回路１６を介して内蔵電池１１に供給されて、内蔵電池１１の充電がおこなわれる。なお、充電制御回路４は携帯型無線機１に内蔵してもよい。この場合には、収納ケース２の構成が簡略化できる。また、充電回路１６は収納ケース２に設けてもよい。
このように、本発明の収納ケースを使用すると、携帯型無線機の内蔵電池を充電することができるとともに、着信に基づいて作動するバイブレータ機能も実現することができるのである。
なお、外部電池で内部電池を充電せずに、携帯型無線機の電源を内部電池から外部電池へ切り換えて使用するように構成することもできる。
また、収納ケースに予備の電池としての外部電池を備えているので、予備電池を別途持ち運ぶより優れた携帯性が得られる。
【００１３】
なお、前記充電制御回路によって充電が適正に制御され、充電完了を使用者に知らせる機能も備えている。例えば、充電完了にともなって携帯型無線機の、表示手段に所定のパターンの画像情報を表示させたり、表示灯を点灯させたり、スピーカから所定のパターンの音を発生させたり、収納ケースの振動発生装置を作動させたりすることによって、充電完了を使用者に知らせる機能を実現してもよい。
【実施例１】
【００１４】
実施例１の収納ケースにおいては、回転軸に、偏心した錘を固定して、回転するときに偏心した錘によるアンバランスに基づいて振動を発生するように構成された振動モータを用いて振動発生装置を実現している。
このように振動発生装置としては、種々の形態のバイブレータ等を利用することができる。
【実施例２】
【００１５】
実施例２の収納ケースにおいては、着信入力端子を省略し、携帯型無線機において着信出力端子を省略した。
具体的には、図２に示したように、携帯型無線機１Ｂにおいて、内蔵電池１１Ｂと充電入力端子１４Ｂとの間の充電回路に電流変化に基づいて着信の有無を検出する着信検出回路９１を設け、検出した着信信号検出信号を前記充電入力端子１４Ｂに出力するように構成した。
収納ケース２Ｂにおいては、振動制御回路６Ｂには、前記充電入力端子１４Ｂに出力された着信信号検出信号が充電出力端子８Ｂを介して入力されるので、この着信信号検出信号に基づいて振動発生装置７Ｂを作動させて使用者に着信を知らせることができる。
また、携帯型無線機１から収納ケース２に着信信号検出信号を伝送する手段としては、Bluetooth規格などの無線通信規格に準じた伝送手段を用いてもよく、光結合や電磁結合による伝送手段を用いてもよい。
【実施例３】
【００１６】
以上の実施例では、振動発生装置が作動すると収納ケースが振動するように構成されているが、図３に示したように、振動発生装置７Ｃで収納ケース２Ｃの一部９５のみを振動させるように構成してもよく、携帯型無線機の全体を振動させるように構成してもよい。
【産業上の利用可能性】
【００１７】
本発明にかかる収納ケースは、携帯電話機などの種々の携帯型無線機に採用することができる。
【図面の簡単な説明】
【００１８】
【図１】本発明にかかる収納ケースの実施の形態の構成を示した構成図である。
【図２】実施例２の構成図である。
【図３】実施例３の概略外形図である。
【符号の説明】
【００１９】
１  携帯型無線機
１１  内蔵電池
１２  受信部
１３  制御部
１４  充電入力端
１５  着信出力端子
１６  充電回路
２  収納ケース
２１  収納部
３  外部電池
４  充電制御回路
５  着信入力端子
６  振動制御回路
７  振動発生装置
８  充電出力端子                                                                                
【図１】
2008085610.tif 000003
【図２】
2008085610.tif 000004
【図３】
2008085610.tif 000005